(57)【要約】【課題】要介護者が安静した状態で介護を受けることができ、介護者が高齢であっても安全に介護をすることができ、安価、コンパクトで設置時間も短く、特別な許可を要せずトラック移動をさせることができる介護用ハウスを提供する。【解決手段】本発明は、天井部に２本のレールを平行に配設したハウス体と、ハウス体内に設置され中央部底面から下方に向かって排水パイプを取り付けて中央部上面には孔を穿設したオムツを排水パイプの上部と孔を取り外し可能に連結した状態で備えた介護ベッドと、介護ベッドの下に設置され排水パイプから流れ落ちる排泄物を受け止める便器と、介護ベッドに隣接し蛇口とシャワーを備えた浴槽と、レールに移動可能に吊り下げられたスライド可動部とスライド可動部に取り付けられ、スライド可動部の駆動を制御する駆動部からなり介護ベッドと浴槽上をスライド移動するリフト部とからなることを特徴とする介護用ハウスの構成とした。【選択図】図１
2010220819.tif 000002
【特許請求の範囲】
【請求項１】
天井部に２本のレールを平行に配設したハウス体２と、  前記ハウス体２内に設置され中央部底面から下方に向かって排水パイプ３ｅを取り付けて中央部上面には孔を穿設したオムツ３ｄを前記排水パイプ３ｅの上部と前記孔３ｇに取り付けた連結パイプ３ｈを取り外し可能に連結した状態で備えた介護ベッド３と、前記介護ベッド３の下に設置され排水パイプ３ｅから流れ落ちる排泄物を受け止める便器４と、前記介護ベッド３に隣接し蛇口とシャワーを備えた浴槽６と、前記レール９に移動可能に吊り下げられたスライド可動部７と前記スライド可動部７に取り付けられ、前記スライド可動部の駆動を制御する駆動部８からなり前記介護ベッドと浴槽上をスライド移動するリフト部５とからなることを特徴とする介護用ハウス。
【請求項２】
前記ハウス体２を、換気扇、出入り口、複数の窓及び折り畳みテーブル２ａを備えたハウス体としたことを特徴とする請求項１に記載の介護用ハウス。
【請求項３】
前記介護ベッド３を、上半身部分に起上がり部３ｃを備え、下半身部分の両縁に手摺りを取付けた介護ベッドとしたことを特徴とする請求項１又は請求項２のいずれか１項に記載の介護用ハウス。
【請求項４】
前記便器４を、パイプ４ｂを介してトイレタンク４ａに連結し、排水パイプ４ｃを介して下水に連結した便器としたことを特徴とする請求項１乃至請求項３のいずれか１項に記載の介護用ハウス。
【請求項５】
前記オムツ３ｄを、略中央付近に孔を穿設して撥水加工を施した略Ｔ字状のオムツとしたことを特徴とする請求項１乃至請求項４のいずれか１項に記載の介護用ハウス。
【請求項６】
前記シャワーを、介護ベッドのオムツの位置まで届く長さにしてオムツを洗浄できるシャワーとしたことを特徴とする請求項１乃至請求項５のいずれか１項に記載の介護用ハウス。
【請求項７】
前記スライド可動部７を、レールに吊り下げられる前後枠体７ａ、７ｂと、前記前後枠体の下端同士を連結する左右枠体７ｃ、７ｄと前記左右枠体７ｃ、７ｄ間に渡される回転軸及び前後ガイド棒と、前記前後ガイド棒のいずれか一方の上面を通り先端を前記回転軸に固定し他端にネット枠を取り外し可能に取り付けるためのフックを設けた４本の吊り下げベルトと、平板状のネットを格子状に編んで四隅に前記フックを連結するための接続具を備えたネット枠とからなるスライド可動部としたことを特徴とする請求項１乃至請求項６のいずれか１項に記載の介護用ハウス。
【請求項８】
前記駆動部８を、ハンドル８ｂを備えて前記回転軸の回動を制御する制御ワイヤー８ｄを巻いた回転ドラム８ａと前記回転ドラム８ａを固定するための載置部８ｃと、前記載置部８ｃをスライド可動部７に連結するための複数本の固定枠とからなる駆動部８としたことを特徴とする請求項１乃至請求項７のいずれか１項に記載の介護用ハウス。
【請求項９】
前記リフト部５を、前記制御ワイヤー８ｄの先端を回転軸７ｇに固定し、回転ドラム８ａのハンドル８ｂを回転させて前記制御ワイヤーを介して前記回転軸７ｇを回転させることにより、同じく回転軸７ｇに一端を固定されている４本の吊り下げベルトが巻き上げられたり巻き上げを戻されて４本の前記吊り下げベルトの他端に連結されたネット枠が連動して上下するリフト体としたことを特徴とする請求項８に記載の介護用ハウス。
【請求項１０】
前記スライド可動部７を、左右枠体７ｃ、７ｄの上部に複数の調節孔７ｆを穿設した調節ガイド７ｅを備え、前記回転軸７ｇ及び前後ガイド棒７ｈ、７ｉの位置を調節可能とし、前記左枠体７ｃに取っ手７ｊを備えたスライド可動部７としたことを特徴とする請求項７乃至請求項９のいずれか１項に記載の介護用ハウス。
【請求項１１】
前記吊り下げベルト７ｏ、７ｐ、７ｑ、７ｒを、先端部の表裏面にオスメス一対の面ファスナーを取り付けた吊り下げベルトとしたことを特徴とする請求項７乃至請求項１０のいずれか１項に記載の介護用ハウス。
【発明の詳細な説明】
【技術分野】
【０００１】
本発明は、高齢化社会において今後増えるであろう自宅介護、特に老老介護をしやすくするための介護用ハウスに関する。
【背景技術】
【０００２】
従来、老人介護をするためには、要介護者を専門の老人ホームに預けたり、訪問介護を依頼し自宅で介護をしていた。
【０００３】
しかしながら、前記の老人ホームに預けた場合、完全介護を依頼できる代わりに高額な利用料を支払わなければならず、家計を圧迫しているのが現状であった。
【０００４】
一方、このような完全介護のための費用をまかなえない場合や、要介護者や要介護者の身内の者ができる限り自宅での介護を希望している場合は、自宅に介護用ベッド等を設置して介護し、定期的又は必要な場合に訪問介護を依頼していたが、介護者及び要介護者が共に高齢である場合は、訪問介護が得られない時間の介護が難しく、事故が起こりやすかった。
【０００５】
また、上記のような事故を防ぐために様々な自宅介護用品が提供されているが、介護において最も労力を要する入浴を安全に行うためには、自宅を大幅に改築する必要があり、当然、莫大な費用を要するものであった。
【０００６】
介護における問題を解決するために、特許文献１に示す「浴槽・トイレ付きベッド装置」が公開されている。この発明では、介護ベッドの下に浴槽及びトイレが設置されており、要介護者が入浴又は排泄をするには要介護者を上方に向かって引き上げた状態でマットレスを立ち上げて退かし、その後に要介護者を浴槽又は便座に下ろして入用又は排泄をさせ、入浴又は排泄が終了すると再度要介護者を上方に向かって引き上げてマットレスを戻して要介護者をベッドに寝かせるという方法をとっている。
【０００７】
しかし、特許文献１の構造では、マットレスを立ち上げて退かすために、かなり高い位置まで要介護者を引き上げなければならないため、落下事故の心配があり、また、ネットで引き上げるため要介護者がくの字に曲がって苦しい思いをする可能性が高い。
【０００８】
また、浴槽上にマットレスが載置されるため、入浴後は浴槽の水を抜き水気を完全に拭き取らないと湿気によりマットレスにカビが発生する可能性があり、それを避けるために浴槽を清掃している間は要介護者を上方に引き上げて不安定な状態にさせなければならなかった。
【０００９】
このように要介護者の上下移動で全てを賄うことで介護のスペースを小さくすることはできるが、要介護者にとっては不安定な状態で何度も上下移動をさせられることになり安らぐことができず、何よりも大掛かりで複雑な構造であるため設置に費用がかかり現実的ではなかった。
【００１０】
次に、特許文献２に示す「介護用の天井走行リフト装置」が公開されている。この発明では、天井に十文字状にレールを渡してリフトを吊し、リフトがレール状を移動することにより部屋内に設置されているベッド、トイレ、浴槽等に移動することができる方法をとっている。
【００１１】
しかし、特許文献２の構造では、載荷シートで要介護者を包み込んだ状態で吊り上げるため、ハンモックのような状態となり、特に高齢の要介護者にとっては吊り上げられている間に非常に強い圧迫感を感じる可能性がある。
【００１２】
また、載荷シートは柔らかいシート状であるため要介護者に設置するには時間を要し、排泄の際に間に合わない可能性がある。尚、排泄については、載荷シートの底面部分に開口が設けられているが、この開口を有効に使用するためには、載荷シートに要介護者を吊す前にズボンやオムツを既に外していなければならず、外さない状態で便座に移動した場合は、便座の位置で再度立ち上がるなどしてズボンやオムツを取り外すこととなり、このような場合は載荷シートの開口を使用するよりも載荷シートを外した方が排泄をし易いと考えられる。
【００１３】
このように、特許文献２の構造では、移動範囲が広がるものの移動した先で行う入浴や排泄のし易さが改善されるものではなかった。
【００１４】
次に、特許文献３に示す「トイレを有するベッド」が公開されている。この発明では、ベッドの中央部に用便の穴が穿設されており、この用便の穴の下に便器が設置されている。そして通常は前記用便の穴が便蓋マットで塞がれてベッドとして使用される。
【００１５】
上記の構造において、排泄をするには便蓋マットが外れると共に用便の穴に向かって便器が上昇し、要介護者が寝た状態で排泄をすることができるものである。
【００１６】
しかしながら、特許文献３の構造では、要介護者は排泄をする際にズボンやオムツ等を外さなければ用便の穴を使用することができず、要介護者が排泄をコントロールできる状態にあれば有効に使用することができるが、要介護者が痴呆等により排泄をコントロール出来ない場合には、有効にしようすることができない。
【００１７】
次に、特許文献４に示す「介護用のユニットハウス」が公開されている。この発明では、プレハブ小屋の中にベッド、便器、浴槽及びそれらの間を移動するための電動介護リフトが設置されている。
【００１８】
しかし、特許文献４の構造では、要介護者が電動介護リフトに乗った状態で便器及び浴槽まで移動することができるが、排泄をコントロールできない要介護者にとっては便器が離れた位置にあることは利用価値がなく、また、排泄をコントロールできる状態にあったとしても電動リフトに乗るまでに時間と体力を使用するため使い勝手のよいものではないと考えられる。
【００１９】
また、特許文献４で使用する電動介護リフトは構造が複雑で大掛かりなため設置費用が高額と考えられ、本当に便利な介護システムを必要としている金銭的に余裕のない老老介護環境にある者にとっては手の届かないものと考えられる。
【００２０】
以上のように、これまで発明及び考案されてきた介護システムは、介護者及び要介護者が共に高齢者であり、特に高額な老人介護施設や介護システムを利用できない者が利用できるものでなければならないはずであるのに、高額な設置費用が予想されるものであり、また、電動による装置を多用しているため誤作動の心配や介護者が高齢であるためにかえって分かりにくいものとなっていた。
【先行技術文献】
【特許文献】
【００２１】
【特許文献１】特開平１１−５６９２６号公報
【特許文献２】特開２０００−３５０７５０号公報
【特許文献３】特開２００３−２２５２６１号公報
【特許文献４】特開２００１−２９５４８４号公報
【発明の概要】
【発明が解決しようとする課題】
【００２２】
そこで、本発明は、要介護者が安静した状態で介護を受けることができ、介護者が高齢であっても安全に介護をすることができ、更に安価であるにもかかわらず必要充分な設備をコンパクトなハウスにまとめることで設置時間も短く、特別な許可を要することなくトラック移動をさせることができる介護用ハウスを提供することを目的とするものである。
【課題を解決するための手段】
【００２３】
本発明は、上記の課題を解決するために、天井部に２本のレールを平行に配設したハウス体２と、前記ハウス体２内に設置され中央部底面から下方に向かって排水パイプ３ｅを取り付けて中央部上面には孔を穿設したオムツ３ｄを前記排水パイプ３ｅの上部と前記孔に取り付けた連結パイプ３ｈを取り外し可能に連結した状態で備えた介護ベッド３と、前記介護ベッド３の下に設置され排水パイプ３ｅから流れ落ちる排泄物を受け止める便器４と、前記介護ベッド３に隣接し蛇口とシャワーを備えた浴槽６と、前記レール９に移動可能に吊り下げられたスライド可動部７と前記スライド可動部７に取り付けられ、前記スライド可動部の駆動を制御する駆動部８からなり前記介護ベッドと浴槽上をスライド移動するリフト部５とからなることを特徴とする介護用ハウスと、
前記ハウス体２を、換気扇、出入り口、複数の窓及び折り畳みテーブル２ａを備えたハウス体としたことを特徴とする介護用ハウスと、前記介護ベッド３を、上半身部分に起上がり部３ｃを備え、下半身部分の両縁に手摺りを取付けた介護ベッドとしたことを特徴とする介護用ハウスと、前記便器４を、パイプ４ｂを介してトイレタンク４ａに連結し、排水パイプ４ｃを介して下水に連結した便器としたことを特徴とする介護用ハウスと、前記オムツ３ｄを、略中央付近に孔を穿設して撥水加工を施した略Ｔ字状のオムツとしたことを特徴とする介護用ハウスと、前記シャワーを、介護ベッドのオムツの位置まで届く長さにしてオムツを洗浄できるシャワーとしたことを特徴とする介護用ハウスと、前記スライド可動部７を、レールに吊り下げられる前後枠体７ａ、７ｂと、前記前後枠体の下端同士を連結する左右枠体７ｃ、７ｄと前記左右枠体７ｃ、７ｄ間に渡される回転軸及び前後ガイド棒と、前記前後ガイド棒のいずれか一方の上面を通り先端を前記回転軸に固定し他端にネット枠を取り外し可能に取り付けるためのフックを設けた４本の吊り下げベルトと、平板状のネットを格子状に編んで四隅に前記フックを連結するための接続具を備えたネット枠とからなるスライド可動部としたことを特徴とする介護用ハウスと、前記駆動部８を、ハンドル８ｂを備えて前記回転軸の回動を制御する制御ワイヤー８ｄを巻いた回転ドラム８ａと前記回転ドラム８ａを固定するための載置部８ｃと、前記載置部８ｃをスライド可動部７に連結するための複数本の固定枠とからなる駆動部８としたことを特徴とする介護用ハウスと、  前記リフト部５を、前記制御ワイヤー８ｄの先端を回転軸７ｇに固定し、回転ドラム８ａのハンドル８ｂを回転させて前記制御ワイヤーを介して前記回転軸７ｇを回転させることにより、同じく回転軸７ｇに一端を固定されている４本の吊り下げベルトが巻き上げられたり巻き上げを戻されて４本の前記吊り下げベルトの他端に連結されたネット枠が連動して上下するリフト体としたことを特徴とする介護用ハウスと、前記スライド可動部７を、左右枠体７ｃ、７ｄの上部に複数の調節孔７ｆを穿設した調節ガイド７ｅを備え、前記回転軸７ｇ及び前後ガイド棒７ｈ、７ｉの位置を調節可能とし、前記左枠体７ｃに取っ手７ｊを備えたスライド可動部７としたことを特徴とする介護用ハウスと、
前記吊り下げベルト７ｏ、７ｐ、７ｑ、７ｒを、先端部の表裏面にオスメス一対の面ファスナーを取り付けた吊り下げベルトとしたことを特徴とする介護用ハウスの構成とした。
【発明の効果】
【００２４】
本発明である介護用ハウスは、ベッド上では専用のオムツを使用するため排泄をコントロール出来ない状態にある要介護者であっても主な排泄物はベッド下に設けた便器内に流れるためベッドを汚すことなく排泄をすることができ、一方、介護者は前記のベッド専用のオムツをベッドから取り外すことなく水洗いできる。
【００２５】
また、要介護者を移動させるためのリフト部で使用するネットが平板状のベルトを縦横に編んでネット枠に取り付けた構造をしているために大きく撓むことがなく、ベッドから２０〜３０ｃｍ程度の介護者の視線の高さで要介護者を移動させることができ、介護者は要介護者に手を添えやすく落下の発生率を抑えることが出来る。
【００２６】
また、前記のネットを張ったネット枠は４点で吊り下げられているため安定しており、従来のように要介護者は圧迫感を感じることなく安全に移動することができる。
【００２７】
また、前記ネット枠の上下動を制御する回転ドラムは常にストッパがかかっており、人力でハンドルを回転させている状態でのみ動くことができるため、電気系統の接触不良などによる誤作動の心配がなく高齢者でも安心して使用することができる。
【００２８】
また、ベッドと浴槽が隣り合って設置されているため、要介護者を浴槽に入れている等の少しの時間でシャワーをベッドまで伸ばしてベッド専用のオムツを洗うことや、ベッドメイク、便器清掃をすることができ、要介護者に湯冷め等をさせる心配がない。
【００２９】
更に、前記のようにネット枠を必要以上に吊り上げる必要がないため天井を低く抑えて道路交通法による高さ制限をクリアし、トラック等で介護用ハウスごと移動させることができるため、設置時間を大幅に短縮することができる。
【図面の簡単な説明】
【００３０】
【図１】本発明である介護用ハウスの全体図である。
【図２】本発明である介護用ハウスの側面図である。
【図３】本発明である介護用ハウスを構成するリフト部分の斜視図である。
【図４】本発明である介護用ハウスを構成するリフト部分の構造図である。
【図５】本発明である介護用ハウスの吊り下げベルトの使用例を示した図である。
【図６】本発明である介護用ハウスの吊り下げベルトの使用例を示した図である。
【発明を実施するための形態】
【００３１】
以下に、添付図面に基づいて、本発明である介護用ハウスについて詳細に説明する。
【実施例１】
【００３２】
図１は本発明である介護用ハウスの全体図、図２は介護用ハウスの側面図、図３は介護用ハウスを構成するリフト部分の斜視図、図４は介護用ハウスを構成するリフト部分の構造図、図５及び図６は護用ハウスの吊り下げベルトの使用例を示した図である。
【００３３】
図１及び図２に示すように、本発明である介護用ハウス１は、天井部に２本のレールを平行に配設したハウス体２と、前記ハウス体２内に設置され中央部底面から下方に向かって排水パイプ３ｅを取り付けて中央部上面には孔を穿設したオムツ３ｄを前記排水パイプ３ｅの上部と前記孔に取り付けた連結パイプ３ｈを取り外し可能に連結した状態で備えた介護ベッド３と、前記介護ベッド３の下に設置され排水パイプ３ｅから流れ落ちる排泄物を受け止める便器４と、前記介護ベッド３に隣接し蛇口６ａとシャワー６ｂを備えた浴槽６と、前記レール９に移動可能に吊り下げられたスライド可動部７と前記スライド可動部７に取り付けられ、前記スライド可動部の駆動を制御する駆動部８からなり前記介護ベッドと浴槽上をスライド移動するリフト部５とからなる。
【００３４】
前記ハウス体２には、出入口２ｄが設けられており、その他にハウス体２内を換気するための換気扇２ｂや複数の窓２ｃを備えても良い。また、ハウス体２内に設置された介護ベッド３で食事などができるように折り畳みテーブル２ａを備え付けてもよい。前記折り畳みテーブル２ａは蝶番２ｅを介してハウス体２の壁面に取り付けられている。
【００３５】
前記介護ベッド３は、４本の脚を備えたベッド枠体３ａとマットレスからなり、要介護者が介護ベッド上で起き上がることができるように、上半身部分に起上がり部３ｃを備えている。前記起上がり部３ｃは電動で容易に上下動させることができ、起上がり部３ｃの操作は介護ベッド３に接続されたリモコン３ｆで操作をする。
【００３６】
また、前記ベッド枠体３ａの下半身部分の両縁には手摺り３ｂが備え付けられており、要介護者や介護者の様々な行動の際に使用することができる。
【００３７】
更に、前記介護ベッド３の上面の中央部、即ち要介護者が介護ベッドに寝た場合に要介護者のお尻がくる位置にはオムツ３ｄが備え付けられており、このオムツ３ｄの略中央付近には孔３ｇが穿設されている。
【００３８】
そして、前記孔３ｇに連結パイプ３ｈが取り付けられており、前記連結パイプ３ｈは介護ベッド３の底面の中央に取り付けられた排泄パイプ３ｅの上端に接続されており、更に排泄パイプ３ｅの下端は便器４の上部に位置している。
【００３９】
排泄をコントロールできない要介護者が介護ベッド上で排泄をした場合に、排泄物はオムツ３ｄの孔３ｇから下方に向かって流れ落ち、更に孔３ｇから流れ落ちた排泄物は、連結パイプ３ｈに接続された排泄パイプ３ｅを通り、介護ベッド３の下に設置された便器４に受け止められる。
【００４０】
また、前記オムツ３ｄは撥水加工が施されているため、要介護者が排泄した尿等の液体も孔３ｇ及び排泄パイプ３ｅを通り便器４に流れ落ちる。
【００４１】
前記便器４は、パイプ４ｂを介してトイレタンク４ａに連結し、排泄パイプ４ｃを介して下水に連結されている。従って、便器４内に排泄物が流れ落ちた際にトイレタンク４ａを操作して水を流すことで排泄物は下水に流されるため従来のように要介護者がトイレまで移動する必要がなく、また排泄物は排泄パイプ３ｅを通って便器４内に流れ落ちるため便器４周辺を汚すこともない。
【００４２】
前記シャワー６ｂは、介護ベッド３に備え付けられたオムツ３ｄの位置まで届く長さとなっているため前述のように撥水加工されたオムツ３ｄを介護ベッド上で洗うことができる。但し、前記オムツ３ｄは容易に取り外すことができるため、取り外して洗っても良い。尚、介護ベッド３上でオムツ３ｄを洗浄する方法は、図６で説明することとする。
【００４３】
図３及び図４に示すように、前記スライド可動部７は、レールに吊り下げられる前後枠体７ａ、７ｂと、前記前後枠体の下端同士を連結する左右枠体７ｃ、７ｄと前記左右枠体７ｃ、７ｄ間に渡される回転軸７ｇ及び前後ガイド棒７ｈ、７ｉと、前記前後ガイド棒７ｈ、７ｉのいずれか一方の上面を通り先端を前記回転軸７ｇに固定し他端にネット枠７ｋを取り外し可能に取り付けるためのフック７ｎを設けた４本の吊り下げベルト７ｏ、７ｐ、７ｑ、７ｒと、平板状のネット７ｌを格子状に編んで四隅に前記フックを連結するための接続具７ｍを備えたネット枠７ｋとからなる。
【００４４】
前記吊り下げベルトのうち、第１、第２吊り下げベルト７ｏ、７ｐは互いに複数本の背あてベルト７ｓで連結されており、この複数本の背あてベルト７ｓが要介護者をネット７ｌ上に座らせた際の背あてとなる。
【００４５】
前記第１、第２吊り下げベルト７ｏ、７ｐの先端は後ガイド棒７ｉの上面を通って回転軸７ｇに固定されており、一方第３、第４吊り下げベルト７ｑ、７ｒの先端は前ガイド棒７ｈの上面を通って回転軸７ｇに固定されている。
【００４６】
前記回転軸７ｇを一方に回転させると第１〜第４吊り下げベルト７ｏ、７ｐ、７ｑ、７ｒは回転軸７ｇに巻き上げられ、回転軸７ｇを反対方向に回転させると前記第１〜第４吊り下げベルト７ｏ、７ｐ、７ｑ、７ｒは巻き上げを戻される。このように第１〜第４吊り下げベルト７ｏ、７ｐ、７ｑ、７ｒは常に同じ動きをして各ベルトの他端は同じ高さを維持して上下動する。
【００４７】
従って、第１〜第４吊り下げベルト７ｏ、７ｐ、７ｑ、７ｒの他端にフック７ｎを介して連結されたネット枠７ｋも常に地面と平行状態を維持したまま上下動することができ、ネット枠７ｋに座る要介護者も安心してリフト移動をすることができる。
【００４８】
図３に示すように、前記左右枠体７ｃ、７ｄの上部には複数の調節孔７ｆを穿設した調節ガイド７ｅが備えられており、前記回転軸７ｇ及び前後ガイド棒７ｈ、７ｉの位置を調節することができる。
【００４９】
例えば、要介護者が大柄であった場合、少し大きめのネット枠７ｋが必要となり、第１〜第４吊り下げベルト７ｏ、７ｐ、７ｑ、７ｒが垂直に吊された状態とするためには前後ガイド棒７ｈ、７ｉの位置を離す必要がある。このように使用するネット枠７ｋに併せて前後ガイド棒７ｈ、７ｉの位置を変えることで体格の違う様々な要介護者に併せることができる。
【００５０】
また、前記左枠体７ｃには取っ手７ｊが取り付けられており、この取っ手７ｊを押し引きすることでリフト部５をスライド移動することができる。この取っ手７ｊについては、手摺りとしての役割も果たせるように大きめの構造が望ましい。また、介護ベッド３の設置場所に従って右枠体７ｄに取り付けても良い。
【００５１】
図３及び図４に示すように、前記駆動部８は、ハンドル８ｂを備えて前記回転軸７ｇの回動を制御する制御ワイヤー８ｄを巻いた回転ドラム８ａと前記回転ドラム８ａを固定するための載置部８ｃと、前記載置部８ｃをスライド可動部７に連結するための複数本の固定枠８ｅとからなる。
【００５２】
前記駆動部８は、スライド可動部７の前枠体７ａの下、即ちネット枠７ｋに座った要介護者の正面側に設置されている。
【００５３】
図３に示すように２本の固定枠８ｅが前枠体７ａの下部から下方に向かって垂設され、残りの２本の固定枠８ｅが左右枠体７ｃ、７ｄの間に配した中枠７ｔの下部から下方に向かって垂設されており、各固定枠８ｅの下端を載置部８ｃの四隅に連結している。
【００５４】
前記載置部８ｃには回転ドラム８ａが設置されており、回転ドラム８ａのハンドル８ｂはネット枠７ｋに座った要介護者の右手側になる側に取り付けられている。このハンドル８ｂについては、要介護者が左利きであった場合や、介護ベッドの設置場所に従って図３とは反対側に取り付けてもよく、また、予め両側に備えておいても構わない。
【００５５】
前記回転ドラム８ａには制御ワイヤー８ｄが巻かれており、この制御ワイヤー８ｄの先端は前記回転軸７ｇに固定されている。
【００５６】
全ての第１〜第４吊り下げベルト７ｏ、７ｐ、７ｑ、７ｒの先端が介護ベッド３に余裕を持って接した状態において、制御ワイヤー８ｄは前記回転軸７ｇに複数回巻かれていなければならない。
【００５７】
図４に示すように、上記のように設置することで前記回転ドラム８ａのハンドル８ｂを回転させて回転ドラム８ａをＢ方向に回転させると、回転軸７ｇはＤ方向に回転して第１〜第４吊り下げベルト７ｏ、７ｐ、７ｑ、７ｒが回転軸７ｇに巻き上げられネット７ｋが上昇する。
【００５８】
反対に回転ドラム８ａをＡ方向に回転させると、回転軸７ｇはＣ方向に回転し第１〜第４吊り下げベルト７ｏ、７ｐ、７ｑ、７ｒが回転軸７ｇへの巻き上げを解除される方向に動きネット枠７ｋが下降する。
【００５９】
尚、前記回転ドラム８ａはハンドル７ｂを人力で回転させない限りブレーキがかかった状態にあり、要介護者の自重や回転ドラム８ａが勝手に回転することによるネット枠７ｋの落下の心配はない。
【００６０】
図４及び図５に示すように、前記第１〜第４吊り下げベルト７ｏ、７ｐ、７ｑ、７ｒの先端部分の表裏面にはオスメス一対の面ファスナー７ｕ、７ｖが取り付けられている。
【００６１】
図４及び図５では、各吊り下げベルト７ｏ、７ｐ、７ｑ、７ｒの内側面に面ファスナー（オス）７ｕ、外側面に面ファスナー（メス）７ｖを取り付けたが、特に限定したものではなく各吊り下げベルトの表裏面に異なる面ファスナーが取り付けられていればよい。
【００６２】
前記面ファスナー７ｕ、７ｖを使用して、第１吊り下げベルト７ｏと第２吊り下げベルト７ｐを連結して略Ｕ字状にすることで要介護者を一時的に僅かな高さ分持ち上げることができ、その間に要介護者のお尻下にネット枠７ｋを挿入する。
【００６３】
尚、第３吊り下げベルト７ｑと第４吊り下げベルト７ｒも同様に連結して略Ｕ字状にすることができ、例えば要介護者の足を上げることに使用してもよい。また、要介護者自体を僅かな高さ持ち上げる際に、前述の第１第２吊り下げベルトだけではなく第３第４吊り下げベルトを使用して持ち上げてもよい。
【００６４】
図６に示すように、前記面ファスナー７ｕ（７ｖ）を介護ベッド３に取り付けられているオムツ３ｄの端に連結し、各吊り下げベルトを持ち上げることでオムツ３ｄの中央が沈んだ状態となり、シャワー６ｂでオムツ３ｄ内に放水しても周囲に水がこぼれることがなく、オムツ３ｄ内の排泄物の残りや汚れを楽に洗浄することができる。
【産業上の利用可能性】
【００６５】
本発明である介護用ハウスは、必要充分な介護設備を安全性を向上させ、しかも取扱いがし易く、更に従来よりも安価で提供することができるため、今後も更に増えるであろうと予測される老老介護の家庭において極めて有効である。
【符号の説明】
【００６６】
１    介護用ハウス
２    ハウス体
２ａ  折り畳みテーブル
２ｂ  換気扇
２ｃ  窓
２ｄ  出入口
２ｅ  蝶番
３    介護ベッド
３ａ  ベッド枠体
３ｂ  手摺り
３ｃ  起上がり部
３ｄ  オムツ
３ｅ  排泄パイプ
３ｆ  リモコン
３ｇ  孔
３ｈ  連結パイプ
４    便器
４ａ  トイレタンク
４ｂ  パイプ
４ｃ  排水パイプ
５    リフト部
６    浴槽
６ａ  蛇口
６ｂ  シャワー
７    スライド可動部
７ａ  前枠体
７ｂ  後枠体
７ｃ  左枠体
７ｄ  右枠体
７ｅ  調節ガイド
７ｆ  調節孔
７ｇ  回転軸
７ｈ  前ガイド棒
７ｉ  後ガイド棒
７ｊ  取っ手
７ｋ  ネット枠
７ｌ  ネット
７ｍ  接続具
７ｎ  フック
７ｏ  第１吊り下げベルト
７ｐ  第２吊り下げベルト
７ｑ  第３吊り下げベルト
７ｒ  第４吊り下げベルト
７ｓ  背あてベルト
７ｔ  中枠
７ｕ  面ファスナー
７ｖ  面ファスナー
８    駆動部
８ａ  回転ドラム
８ｂ  ハンドル
８ｃ  載置部
８ｄ  制御ワイヤー
８ｅ  固定枠
９    レール
【図１】
2010220819.tif 000003
【図２】
2010220819.tif 000004
【図３】
2010220819.tif 000005
【図４】
2010220819.tif 000006
【図５】
2010220819.tif 000007
【図６】
2010220819.tif 000008